(57)【特許請求の範囲】
【請求項１】
ワイヤレス通信のための方法であって、
アップリンクコンポーネントキャリアを介してユーザ機器（ＵＥ）から複数のコードワードを受信することと、
前記受信されたコードワードに対するアクノレッジメントメッセージの送信に使用するために、ダウンリンクチャネルのリソースを識別するための少なくとも第１のインデックスペアおよび第２のインデックスペアを決定することと
を備え、
前記第１のインデックスペアは、少なくとも部分的にパラメータの第１のセットに基づいて決定され、パラメータの前記第１のセットは、復調基準信号（ＤＭＲＳ）のナンバ、物理ハイブリッド自動再送要求インジケータチャネル（ＰＨＩＣＨ）で変調に使用される拡散率のサイズ、対応する物理アップリンク共有チャネル（ＰＵＳＣＨ）送信の第１のスロットにおける物理リソースブロック（ＰＲＢ）の最小インデックス、ＰＨＩＣＨグループのナンバ、およびインデックスを含み、
前記第２のインデックスペアは、パラメータの前記第１のセット、第１のデルタ値、および第２のデルタ値に基づいて決定され、
前記第１のデルタ値および前記第２のデルタ値は、前記第２のインデックスペアに使用され、前記第１のインデックスペアには使用されず、前記第１のデルタ値は、前記第２のデルタ値とは異なる、
ここにおいて、
各インデックスペアは、チャネルグループのナンバ、および、前記チャネルグループ内のシーケンスインデックスを含み、前記第１のデルタ値は、Δ１として定義され、前記第２のデルタ値は、Δ２として定義され、
前記第１のインデックスペアのチャネルグループナンバは、以下のように定義され、
【数１】
0006026568.tif 000072
前記第１のインデックスペアのシーケンスインデックスは、以下のように定義され、
【数２】
0006026568.tif 000073
前記第２のインデックスペアのチャネルグループナンバは、次のように定義され、
【数３】
0006026568.tif 000074
前記第２のインデックスペアのシーケンスインデックスは、次のように定義され、
【数４】
0006026568.tif 000075
ここにおいて、ｎＤＭＲＳは、前記復調基準信号（ＤＭＲＳ）の前記ナンバを表し、
【数５】
0006026568.tif 000076
は、物理ハイブリッド自動再送要求インジケータチャネル（ＰＨＩＣＨ）で変調に使用される前記拡散率の前記サイズを表し、
【数６】
0006026568.tif 000077
は、前記対応する物理アップリンク共有チャネル（ＰＵＳＣＨ）送信の前記第１のスロットにおける前記物理リソースブロック（ＰＲＢ）の前記最小インデックスを表し、
【数７】
0006026568.tif 000078
は、ＰＨＩＣＨグループの前記ナンバを表し、
【数８】
0006026568.tif 000079
は、前記インデックスである、
ここにおいて、
Δ１は１または、
【数９】
0006026568.tif 000080
に等しく、Δ２はゼロに等しい、方法。
【請求項２】
前記第１のインデックスペアおよび前記第２のインデックスペアは、共通のチャネルグループナンバを有し、それらのシーケンスインデックスにおいて９０度の位相差を有する、請求項１に記載の方法。
【請求項３】
前記第１のデルタ値および前記第２のデルタ値は、ダウンリンク制御情報（ＤＣＩ）フォーマットでシグナリングされた情報から導き出される、請求項１に記載の方法。
【請求項４】
前記第１のデルタ値および前記第２のデルタ値は、より高いレイヤによって準静的に構成される、請求項１に記載の方法。
【請求項５】
前記第１のデルタ値および前記第２のデルタ値は、対応するダウンリンク制御情報（ＤＣＩ）フォーマットで動的にシグナリングされる、請求項１に記載の方法。
【請求項６】
ワイヤレス通信のための方法であって、
アップリンクコンポーネントキャリアを介して基地局に複数のコードワードを送信することと、
前記送信されたコードワードに対するアクノレッジメントメッセージの送信に使用するために、ダウンリンクチャネルのリソースを識別するための少なくとも第１のインデックスペアおよび第２のインデックスペアを決定することと
を備え、
前記第１のインデックスペアは、少なくとも部分的にパラメータの第１のセットに基づいて決定され、パラメータの前記第１のセットは、復調基準信号（ＤＭＲＳ）のナンバ、物理ハイブリッド自動再送要求インジケータチャネル（ＰＨＩＣＨ）で変調に使用される拡散率のサイズ、対応する物理アップリンク共有チャネル（ＰＵＳＣＨ）送信の第１のスロットにおける物理リソースブロック（ＰＲＢ）の最小インデックス、ＰＨＩＣＨグループのナンバ、およびインデックスを含み、
前記第２のインデックスペアは、パラメータの前記第１のセット、第１のデルタ値、および第２のデルタ値に基づいて決定され、
前記第１のデルタ値および前記第２のデルタ値は、前記第２のインデックスペアに使用され、前記第１のインデックスペアには使用されず、前記第１のデルタ値は、前記第２のデルタ値とは異なる、
ここにおいて、
各インデックスペアは、チャネルグループのナンバ、および、前記チャネルグループ内のシーケンスインデックスを含み、前記第１のデルタ値は、Δ１として定義され、前記第２のデルタ値は、Δ２として定義され、
前記第１のインデックスペアのチャネルグループナンバは、以下のように定義され、
【数１０】
0006026568.tif 000081
前記第１のインデックスペアのシーケンスインデックスは、以下のように定義され、
【数１１】
0006026568.tif 000082
前記第２のインデックスペアのチャネルグループナンバは、次のように定義され、
【数１２】
0006026568.tif 000083
前記第２のインデックスペアのシーケンスインデックスは、次のように定義され、
【数１３】
0006026568.tif 000084
ここにおいて、ｎＤＭＲＳは、前記復調基準信号（ＤＭＲＳ）の前記ナンバを表し、
【数１４】
0006026568.tif 000085
は、物理ハイブリッド自動再送要求インジケータチャネル（ＰＨＩＣＨ）で変調に使用される前記拡散率の前記サイズを表し、
【数１５】
0006026568.tif 000086
は、前記対応する物理アップリンク共有チャネル（ＰＵＳＣＨ）送信の前記第１のスロットにおける前記物理リソースブロック（ＰＲＢｓ）の前記最小インデックスを表し、
【数１６】
0006026568.tif 000087
は、ＰＨＩＣＨグループの前記ナンバを表し、
【数１７】
0006026568.tif 000088
は、前記インデックスである、
ここにおいて、
Δ１は１または、
【数１８】
0006026568.tif 000089
に等しく、Δ２はゼロに等しい、方法。
【請求項７】
前記第１のインデックスペアおよび前記第２のインデックスペアは、共通のチャネルグループナンバを有し、それらのシーケンスインデックスにおいて９０度の位相差を有する、請求項６に記載の方法。
【請求項８】
前記第１のデルタ値および前記第２のデルタ値は、ダウンリンク制御情報（ＤＣＩ）フォーマットで受信された情報から導き出される、請求項６に記載の方法。
【請求項９】
前記第１のデルタ値および前記第２のデルタ値は、より高いレイヤによって準静的に構成される、請求項６に記載の方法。
【請求項１０】
前記第１のデルタ値および前記第２のデルタ値は、対応するダウンリンク制御情報（ＤＣＩ）フォーマットで動的に受信される、請求項６に記載の方法。
【請求項１１】
ワイヤレス通信のための装置であって、
アップリンクコンポーネントキャリアを介してユーザ機器（ＵＥ）から複数のコードワードを受信するための手段と、
前記受信されたコードワードに対するアクノレッジメントメッセージの送信に使用するために、ダウンリンクチャネルのリソースを識別するための少なくとも第１のインデックスペアおよび第２のインデックスペアを決定するための手段と
を備え、
前記第１のインデックスペアは、少なくとも部分的にパラメータの第１のセットに基づいて決定され、パラメータの前記第１のセットは、復調基準信号（ＤＭＲＳ）のナンバ、物理ハイブリッド自動再送要求インジケータチャネル（ＰＨＩＣＨ）で変調に使用される拡散率のサイズ、対応する物理アップリンク共有チャネル（ＰＵＳＣＨ）送信の第１のスロットにおける物理リソースブロック（ＰＲＢ）の最小インデックス、ＰＨＩＣＨグループのナンバ、およびインデックスを含み、
前記第２のインデックスペアは、パラメータの前記第１のセット、第１のデルタ値、および第２のデルタ値に基づいて決定され、
前記第１のデルタ値および前記第２のデルタ値は、前記第２のインデックスペアに使用され、前記第１のインデックスペアには使用されず、前記第１のデルタ値は、前記第２のデルタ値とは異なる、
ここにおいて、
各インデックスペアは、チャネルグループのナンバ、および、前記チャネルグループ内のシーケンスインデックスを含み、前記第１のデルタ値は、Δ１として定義され、前記第２のデルタ値は、Δ２として定義され、
前記第１のインデックスペアのチャネルグループナンバは、以下のように定義され、
【数１９】
0006026568.tif 000090
前記第１のインデックスペアのシーケンスインデックスは、以下のように定義され、
【数２０】
0006026568.tif 000091
前記第２のインデックスペアのチャネルグループナンバは、次のように定義され、
【数２１】
0006026568.tif 000092
前記第２のインデックスペアのシーケンスインデックスは、次のように定義され、
【数２２】
0006026568.tif 000093
ここにおいて、ｎＤＭＲＳは、前記復調基準信号（ＤＭＲＳ）の前記ナンバを表し、
【数２３】
0006026568.tif 000094
は、物理ハイブリッド自動再送要求インジケータチャネル（ＰＨＩＣＨ）で変調に使用される前記拡散率の前記サイズを表し、
【数２４】
0006026568.tif 000095
は、前記対応する物理アップリンク共有チャネル（ＰＵＳＣＨ）送信の前記第１のスロットにおける前記物理リソースブロック（ＰＲＢ）の前記最小インデックスを表し、
【数２５】
0006026568.tif 000096
は、ＰＨＩＣＨグループの前記ナンバを表し、
【数２６】
0006026568.tif 000097
は、前記インデックスである、
ここにおいて、
Δ１は１または、
【数２７】
0006026568.tif 000098
に等しく、Δ２はゼロに等しい、装置。
【請求項１２】
前記第１のインデックスペアおよび前記第２のインデックスペアは、共通のチャネルグループナンバを有し、それらのシーケンスインデックスにおいて９０度の位相差を有する、請求項１１に記載の装置。
【請求項１３】
前記第１のデルタ値および前記第２のデルタ値は、ダウンリンク制御情報（ＤＣＩ）フォーマットでシグナリングされた情報から導き出される、請求項１１に記載の装置。
【請求項１４】
前記第１のデルタ値および前記第２のデルタ値は、より高いレイヤによって準静的に構成される、請求項１１に記載の装置。
【請求項１５】
前記第１のデルタ値および前記第２のデルタ値は、対応するダウンリンク制御情報（ＤＣＩ）フォーマットで動的にシグナリングされる、請求項１１に記載の装置。
【請求項１６】
ワイヤレス通信のための装置であって、
アップリンクコンポーネントキャリアを介して基地局に複数のコードワードを送信するための手段と、
前記送信されたコードワードに対するアクノレッジメントメッセージの送信に使用するために、ダウンリンクチャネルのリソースを識別するための少なくとも第１のインデックスペアおよび第２のインデックスペアを決定するための手段と
を備え、
前記第１のインデックスペアは、少なくとも部分的にパラメータの第１のセットに基づいて決定され、パラメータの前記第１のセットは、復調基準信号（ＤＭＲＳ）のナンバ、物理ハイブリッド自動再送要求インジケータチャネル（ＰＨＩＣＨ）で変調に使用される拡散率のサイズ、対応する物理アップリンク共有チャネル（ＰＵＳＣＨ）送信の第１のスロットにおける物理リソースブロック（ＰＲＢ）の最小インデックス、ＰＨＩＣＨグループのナンバ、およびインデックスを含み、
前記第２のインデックスペアは、パラメータの前記第１のセット、第１のデルタ値、および第２のデルタ値に基づいて決定され、
前記第１のデルタ値および前記第２のデルタ値は、前記第２のインデックスペアに使用され、前記第１のインデックスペアには使用されず、前記第１のデルタ値は、前記第２のデルタ値とは異なる、
ここにおいて、
各インデックスペアは、チャネルグループのナンバ、および、前記チャネルグループ内のシーケンスインデックスを含み、前記第１のデルタ値は、Δ１として定義され、前記第２のデルタ値は、Δ２として定義され、
前記第１のインデックスペアのチャネルグループナンバは、以下のように定義され、
【数２８】
0006026568.tif 000099
前記第１のインデックスペアのシーケンスインデックスは、以下のように定義され、
【数２９】
0006026568.tif 000100
前記第２のインデックスペアのチャネルグループナンバは、次のように定義され、
【数３０】
0006026568.tif 000101
前記第２のインデックスペアのシーケンスインデックスは、次のように定義され、
【数３１】
0006026568.tif 000102
ここにおいて、ｎＤＭＲＳは、前記復調基準信号（ＤＭＲＳ）の前記ナンバを表し、
【数３２】
0006026568.tif 000103
は、物理ハイブリッド自動再送要求インジケータチャネル（ＰＨＩＣＨ）で変調に使用される前記拡散率の前記サイズを表し、
【数３３】
0006026568.tif 000104
は、前記対応する物理アップリンク共有チャネル（ＰＵＳＣＨ）送信の前記第１のスロットにおける前記物理リソースブロック（ＰＲＢ）の前記最小インデックスを表し、
【数３４】
0006026568.tif 000105
は、ＰＨＩＣＨグループ前記ナンバを表し、
【数３５】
0006026568.tif 000106
は、前記インデックスである、
ここにおいて、
Δ１は１または、
【数３６】
0006026568.tif 000107
に等しく、Δ２はゼロに等しい装置。
【請求項１７】
前記第１のインデックスペアおよび前記第２のインデックスペアは、共通のチャネルグループナンバを有し、それらのシーケンスインデックスにおいて９０度の位相差を有する、請求項１６に記載の装置。
【請求項１８】
前記第１のデルタ値および前記第２のデルタ値は、ダウンリンク制御情報（ＤＣＩ）フォーマットで受信された情報から導き出される、請求項１６に記載の装置。
【請求項１９】
前記第１のデルタ値および前記第２のデルタ値は、より高いレイヤによって準静的に構成される、請求項１６に記載の装置。
【請求項２０】
前記第１のデルタ値および前記第２のデルタ値は、対応するダウンリンク制御情報（ＤＣＩ）フォーマットで動的に受信される、請求項１６に記載の装置。
【請求項２１】
ワイヤレス通信のための装置であって、
アップリンクコンポーネントキャリアを介してユーザ機器（ＵＥ）から複数のコードワードを受信し、前記受信されたコードワードに対するアクノレッジメントメッセージの送信に使用するために、ダウンリンクチャネルのリソースを識別するための少なくとも第１のインデックスペアおよび第２のインデックスペアを決定するように構成された少なくとも１つのプロセッサと、
前記少なくとも１つのプロセッサに結合されたメモリと
を備え、
前記第１のインデックスペアは、少なくとも部分的にパラメータの第１のセットに基づいて決定され、パラメータの前記第１のセットは、復調基準信号（ＤＭＲＳ）のナンバ、物理ハイブリッド自動再送要求インジケータチャネル（ＰＨＩＣＨ）で変調に使用される拡散率のサイズ、対応する物理アップリンク共有チャネル（ＰＵＳＣＨ）送信の第１のスロットにおける物理リソースブロック（ＰＲＢ）の最小インデックス、ＰＨＩＣＨグループのナンバ、およびインデックスを含み、
前記第２のインデックスペアは、パラメータの前記第１のセット、第１のデルタ値、および第２のデルタ値に基づいて決定され、
前記第１のデルタ値および前記第２のデルタ値は、前記第２のインデックスペアに使用され、前記第１のインデックスペアには使用されず、前記第１のデルタ値は、前記第２のデルタ値とは異なる、
ここにおいて、
各インデックスペアは、チャネルグループのナンバ、および、前記チャネルグループ内のシーケンスインデックスを含み、前記第１のデルタ値は、Δ１として定義され、前記第２のデルタ値は、Δ２として定義され、
前記第１のインデックスペアのチャネルグループナンバは、以下のように定義され、
【数３７】
0006026568.tif 000108
前記第１のインデックスペアのシーケンスインデックスは、以下のように定義され、
【数３８】
0006026568.tif 000109
前記第２のインデックスペアのチャネルグループナンバは、次のように定義され、
【数３９】
0006026568.tif 000110
前記第２のインデックスペアのシーケンスインデックスは、次のように定義され、
【数４０】
0006026568.tif 000111
ここにおいて、ｎＤＭＲＳは、前記復調基準信号（ＤＭＲＳ）の前記ナンバを表し、
【数４１】
0006026568.tif 000112
は、物理ハイブリッド自動再送要求インジケータチャネル（ＰＨＩＣＨ）で変調に使用される前記拡散率の前記サイズを表し、
【数４２】
0006026568.tif 000113
は、前記対応する物理アップリンク共有チャネル（ＰＵＳＣＨ）送信の前記第１のスロットにおける前記物理リソースブロック（ＰＲＢ）の前記最小インデックスを表し、
【数４３】
0006026568.tif 000114
は、ＰＨＩＣＨグループの前記ナンバを表し、
【数４４】
0006026568.tif 000115
は、前記インデックスである、
ここにおいて、
Δ１は１または、
【数４５】
0006026568.tif 000116
に等しく、Δ２はゼロに等しい装置。
【請求項２２】
ワイヤレス通信のための装置であって、
アップリンクコンポーネントキャリアを介して基地局に複数のコードワードを送信し、前記送信されたコードワードに対するアクノレッジメントメッセージの送信に使用するために、ダウンリンクチャネルのリソースを識別するための少なくとも第１のインデックスペアおよび第２のインデックスペアを決定するように構成された少なくとも１つのプロセッサと、
前記少なくとも１つのプロセッサに結合されたメモリと
を備え、
前記第１のインデックスペアは、少なくとも部分的にパラメータの第１のセットに基づいて決定され、パラメータの前記第１のセットは、復調基準信号（ＤＭＲＳ）のナンバ、物理ハイブリッド自動再送要求インジケータチャネル（ＰＨＩＣＨ）で変調に使用される拡散率のサイズ、対応する物理アップリンク共有チャネル（ＰＵＳＣＨ）送信の第１のスロットにおける物理リソースブロック（ＰＲＢ）の最小インデックス、ＰＨＩＣＨグループのナンバ、およびインデックスを含み、
前記第２のインデックスペアは、パラメータの前記第１のセット、第１のデルタ値、および第２のデルタ値に基づいて決定され、
前記第１のデルタ値および前記第２のデルタ値は、前記第２のインデックスペアに使用され、前記第１のインデックスペアには使用されず、前記第１のデルタ値は、前記第２のデルタ値とは異なる、
ここにおいて、
各インデックスペアは、チャネルグループのナンバ、および、前記チャネルグループ内のシーケンスインデックスを含み、前記第１のデルタ値は、Δ１として定義され、前記第２のデルタ値は、Δ２として定義され、
前記第１のインデックスペアのチャネルグループナンバは、以下のように定義され、
【数４６】
0006026568.tif 000117
前記第１のインデックスペアのシーケンスインデックスは、以下のように定義され、
【数４７】
0006026568.tif 000118
前記第２のインデックスペアのチャネルグループナンバは、次のように定義され、
【数４８】
0006026568.tif 000119
前記第２のインデックスペアのシーケンスインデックスは、次のように定義され、
【数４９】
0006026568.tif 000120
ここにおいて、ｎＤＭＲＳは、前記復調基準信号（ＤＭＲＳ）の前記ナンバを表し、
【数５０】
0006026568.tif 000121
は、物理ハイブリッド自動再送要求インジケータチャネル（ＰＨＩＣＨ）で変調に使用される前記拡散率の前記サイズを表し、
【数５１】
0006026568.tif 000122
は、前記対応する物理アップリンク共有チャネル（ＰＵＳＣＨ）送信の前記第１のスロットにおける前記物理リソースブロック（ＰＲＢ）の前記最小インデックスを表し、
【数５２】
0006026568.tif 000123
は、ＰＨＩＣＨグループの前記ナンバを表し、
【数５３】
0006026568.tif 000124
は、前記インデックスである、
ここにおいて、
Δ１は１または、
【数５４】
0006026568.tif 000125
に等しく、Δ２はゼロに等しい装置。
【請求項２３】
プログラムコードを記録した、ワイヤレス通信のためのコンピュータ読取可能な記憶媒体であって、前記プログラムコードは、
アップリンクコンポーネントキャリアを介してユーザ機器（ＵＥ）から複数のコードワードを受信するためのプログラムコードと、
前記受信されたコードワードに対するアクノレッジメントメッセージの送信に使用するために、ダウンリンクチャネルのリソースを識別するための少なくとも第１のインデックスペアおよび第２のインデックスペアを決定するためのプログラムコードと
を備え、
前記第１のインデックスペアは、少なくとも部分的にパラメータの第１のセットに基づいて決定され、パラメータの前記第１のセットは、復調基準信号（ＤＭＲＳ）のナンバ、物理ハイブリッド自動再送要求インジケータチャネル（ＰＨＩＣＨ）で変調に使用される拡散率のサイズ、対応する物理アップリンク共有チャネル（ＰＵＳＣＨ）送信の第１のスロットにおける物理リソースブロック（ＰＲＢ）の最小インデックス、ＰＨＩＣＨグループのナンバ、およびインデックスを含み、
前記第２のインデックスペアは、パラメータの前記第１のセット、第１のデルタ値、および第２のデルタ値に基づいて決定され、
前記第１のデルタ値および前記第２のデルタ値は、前記第２のインデックスペアに使用され、前記第１のインデックスペアには使用されず、前記第１のデルタ値は、前記第２のデルタ値とは異なる、
ここにおいて、
各インデックスペアは、チャネルグループのナンバ、および、前記チャネルグループ内のシーケンスインデックスを含み、前記第１のデルタ値は、Δ１として定義され、前記第２のデルタ値は、Δ２として定義され、
前記第１のインデックスペアのチャネルグループナンバは、以下のように定義され、
【数５５】
0006026568.tif 000126
前記第１のインデックスペアのシーケンスインデックスは、以下のように定義され、
【数５６】
0006026568.tif 000127
前記第２のインデックスペアのチャネルグループナンバは、次のように定義され、
【数５７】
0006026568.tif 000128
前記第２のインデックスペアのシーケンスインデックスは、次のように定義され、
【数５８】
0006026568.tif 000129
ここにおいて、ｎＤＭＲＳは、前記復調基準信号（ＤＭＲＳ）の前記ナンバを表し、
【数５９】
0006026568.tif 000130
は、物理ハイブリッド自動再送要求インジケータチャネル（ＰＨＩＣＨ）で変調に使用される前記拡散率の前記サイズを表し、
【数６０】
0006026568.tif 000131
は、前記対応する物理アップリンク共有チャネル（ＰＵＳＣＨ）送信の前記第１のスロットにおける前記物理リソースブロック（ＰＲＢ）の前記最小インデックスを表し、
【数６１】
0006026568.tif 000132
は、ＰＨＩＣＨグループの前記ナンバを表し、
【数６２】
0006026568.tif 000133
は、前記インデックスである、
ここにおいて、
Δ１は１または、
【数６３】
0006026568.tif 000134
に等しく、Δ２はゼロに等しい、コンピュータ読取可能な記憶媒体。
【請求項２４】
プログラムコードを記録した、ワイヤレス通信のためのコンピュータ読取可能な記憶媒体であって、前記プログラムコードは、
アップリンクコンポーネントキャリアを介して基地局に複数のコードワードを送信するためのプログラムコードと、
前記送信されたコードワードに対するアクノレッジメントメッセージの送信に使用するために、ダウンリンクチャネルのリソースを識別するための少なくとも第１のインデックスペアおよび第２のインデックスペアを決定するためのプログラムコードと
を備え、
前記第１のインデックスペアは、少なくとも部分的にパラメータの第１のセットに基づいて決定され、パラメータの前記第１のセットは、復調基準信号（ＤＭＲＳ）のナンバ、物理ハイブリッド自動再送要求インジケータチャネル（ＰＨＩＣＨ）で変調に使用される拡散率のサイズ、対応する物理アップリンク共有チャネル（ＰＵＳＣＨ）送信の第１のスロットにおける物理リソースブロック（ＰＲＢ）の最小インデックス、ＰＨＩＣＨグループのナンバ、およびインデックスを含み、
前記第２のインデックスペアは、パラメータの前記第１のセット、第１のデルタ値、および第２のデルタ値に基づいて決定され、
前記第１のデルタ値および前記第２のデルタ値は、前記第２のインデックスペアに使用され、前記第１のインデックスペアには使用されず、前記第１のデルタ値は、前記第２のデルタ値とは異なる、
ここにおいて、
各インデックスペアは、チャネルグループのナンバ、および、前記チャネルグループ内のシーケンスインデックスを含み、前記第１のデルタ値は、Δ１として定義され、前記第２のデルタ値は、Δ２として定義され、
前記第１のインデックスペアのチャネルグループナンバは、以下のように定義され、
【数６４】
0006026568.tif 000135
前記第１のインデックスペアのシーケンスインデックスは、以下のように定義され、
【数６５】
0006026568.tif 000136
前記第２のインデックスペアのチャネルグループナンバは、次のように定義され、
【数６６】
0006026568.tif 000137
前記第２のインデックスペアのシーケンスインデックスは、次のように定義され、
【数６７】
0006026568.tif 000138
ここにおいて、ｎＤＭＲＳは、前記復調基準信号（ＤＭＲＳ）の前記ナンバを表し、
【数６８】
0006026568.tif 000139
は、物理ハイブリッド自動再送要求インジケータチャネル（ＰＨＩＣＨ）で変調に使用される前記拡散率の前記サイズを表し、
【数６９】
0006026568.tif 000140
は、前記対応する物理アップリンク共有チャネル（ＰＵＳＣＨ）送信の前記第１のスロットにおける前記物理リソースブロック（ＰＲＢ）の前記最小インデックスを表し、
【数７０】
0006026568.tif 000141
は、ＰＨＩＣＨグループの前記ナンバを表し、
【数７１】
0006026568.tif 000142
は、前記インデックスである、
ここにおいて、
Δ１は１または、
【数７２】
0006026568.tif 000143
に等しく、Δ２はゼロに等しい、コンピュータ読取可能な記憶媒体。
【発明の詳細な説明】
【関連出願】
【０００１】
[0001]  本願は、本出願の譲受人に譲渡され、参照により明確に本明細書に組み込まれる、２０１０年５月１４日に出願された「HARQ Channel Resource Assignment」と題する米国仮出願６１／３３４,９１０号の優先権を主張する。
【技術分野】
【０００２】
[0002]  本開示の特定の態様は一般的にワイヤレス通信に関し、より詳細には、ダウンリンク送信にチャネルリソースを割り当てることに関する。
【背景技術】
【０００３】
[0003]  ワイヤレス通信システムは、音声、データなど、様々なタイプの通信コンテンツを提供するために広く展開されている。これらのシステムは、利用可能なシステムリソース（例えば、帯域幅および送信電力）を共有することによって、複数のユーザとの通信をサポートすることができる多元接続システムでありうる。このような多元接続システムの例は、符号分割多元接続（ＣＤＭＡ）システム、時分割多元接続（ＴＤＭＡ）システム、周波数分割多元接続（ＦＤＭＡ）システム、第３世代パートナーシッププロジェクト（３ＧＰＰ）ロングタームエボリューション（ＬＴＥ）システム、および、直交周波数分割多元接続（ＯＦＤＭＡ）システムを含む。
【０００４】
[0004]  一般的に、ワイヤレス多元接続通信システムは、複数の端末のために通信を同時にサポートすることができる。各端末は、順方向リンクおよび逆方向リンク上の送信を介して１または複数の基地局と通信する。順方向リンク（すなわちダウンリンク）は、基地局から端末への通信リンクを指し、逆方向リンク（すなわちアップリンク）は、端末から基地局への通信リンクを指す。この通信リンクは、単一入力単一出力、多入力単一出力、または、多入力多出力（ＭＩＭＯ）システムを介して確立されうる。
【０００５】
[0005]  ＭＩＭＯシステムは、データ送信のために、複数（ＮＴ個）の送信アンテナと、複数（ＮＲ個）の受信アンテナとを用いる。ＮＴ個の送信アンテナおよびＮＲ個の受信アンテナによって形成されるＭＩＭＯチャネルは、空間チャネルとも呼ばれるＮＳ個の独立チャネルへと分解されうる。ここで、ＮＳ≦ｍｉｎ｛ＮＴ，ＮＲ｝である。ＮＳ個の独立チャネルの各々は、１つの次元（dimension）に対応する。ＭＩＭＯシステムは、複数の送信アンテナおよび受信アンテナによって形成される次元性がさらに利用されると、向上した性能（例えば、より高いスループット、および／または、より高い信頼性）を提供することができる。
【０００６】
[0006]  ＭＩＭＯシステムは、時分割複信（ＴＤＤ）および周波数分割複信（ＦＤＤ）システムをサポートする。ＴＤＤシステムにおいて、順方向リンクおよび逆方向リンクの送信は、相反原理によって逆方向リンクチャネルから順方向リンクチャネルが推定できるように、同一の周波数領域上でありうる。これにより、アクセスポイントは、複数のアンテナがアクセスポイントで利用可能な場合に、順方向リンク上で送信ビームフォーミング利得を抽出することができる。
【発明の概要】
【０００７】
[0007]  本開示の特定の態様は、ワイヤレス通信のための方法を提供する。方法は、アップリンクコンポーネントキャリアを介してユーザ機器（ＵＥ）から複数のコードワードを受信することと、受信されたコードワードに対するアクノレッジメントメッセージの送信に使用するために、ダウンリンクチャネルのリソースを識別する少なくとも第１および第２のインデックスペアを決定することとを含む。第１のインデックスペアは、パラメータの第１のセットに基づいて決定され、第２のインデックスペアは、パラメータの第１のセットおよび１または複数のパラメータの第２のセットに基づいて決定される。１または複数のパラメータの第２のセットのパラメータのうちの少なくとも１つは固定値である。
【０００８】
[0008]  本開示の特定の態様は、ワイヤレス通信のための方法を提供する。方法は、アップリンクコンポーネントキャリアを介して複数のコードワードを基地局に送信することと、送信されたコードワードに対するアクノレッジメントメッセージの受信に使用するために、ダウンリンクチャネルのリソースを識別する少なくとも第１および第２のインデックスペアを決定することとを含む。第１のインデックスペアは、パラメータの第１のセットに基づいて決定され、第２のインデックスペアは、パラメータの第１のセットおよび１または複数のパラメータの第２のセットに基づいて決定される。１または複数のパラメータの第２のセットのパラメータのうちの少なくとも１つは固定値である。
【０００９】
[0009]  本開示の特定の態様は、ワイヤレス通信のための装置を提供する。装置は、アップリンクコンポーネントキャリアを介して複数のコードワードをユーザ機器(ＵＥ)から受信するための手段と、受信されたコードワードに対するアクノレッジメントメッセージの送信に使用するために、ダウンリンクチャネルのリソースを識別する少なくとも第１および第２のインデックスペアを決定するための手段とを含む。第１のインデックスペアは、パラメータの第１のセットに基づいて決定され、第２のインデックスペアは、パラメータの第１のセットおよび１または複数のパラメータの第２のセットに基づいて決定される。１または複数のパラメータの第２のセットのパラメータのうちの少なくとも１つは固定値である。
【００１０】
[0010]  本開示の特定の態様は、ワイヤレス通信のための装置を提供する。装置は、アップリンクコンポーネントキャリアを介して複数のコードワードを基地局に送信するための手段と、送信されたコードワードに対するアクノレッジメントメッセージの受信に使用するために、ダウンリンクチャネルのリソースを識別する少なくとも第１および第２のインデックスペアを決定するための手段とを含む。第１のインデックスペアは、パラメータの第１のセットに基づいて決定され、第２のインデックスペアは、パラメータの第１のセットおよび１または複数のパラメータの第２のセットに基づいて決定される。１または複数のパラメータの第２のセットのパラメータのうちの少なくとも１つは固定値である。
【００１１】
[0011]  本開示の特定の態様は、ワイヤレス通信のための装置を提供する。装置は、アップリンクコンポーネントキャリアを介して複数のコードワードをユーザ機器(ＵＥ)から受信し、受信されたコードワードに対するアクノレッジメントメッセージの送信に使用するために、ダウンリンクチャネルのリソースを識別する少なくとも第１および第２のインデックスペアを決定するように構成された少なくとも１つのプロセッサを含む。第１のインデックスペアは、パラメータの第１のセットに基づいて決定され、第２のインデックスペアは、パラメータの第１のセットおよび１または複数のパラメータの第２のセットに基づいて決定される。１または複数のパラメータの第２のセットのパラメータのうちの少なくとも１つは固定値である。装置はさらに、少なくとも１つのプロセッサに結合されたメモリを含む。
【００１２】
[0012]  本開示の特定の態様は、ワイヤレス通信のための装置を提供する。装置は、アップリンクコンポーネントキャリアを介して複数のコードワードを基地局に送信し、送信されたコードワードに対するアクノレッジメントメッセージの受信に使用するために、ダウンリンクチャネルのリソースを識別する少なくとも第１および第２のインデックスペアを決定するように構成された少なくとも１つのプロセッサを含む。第１のインデックスペアは、パラメータの第１のセットに基づいて決定され、第２のインデックスペアは、パラメータの第１のセットおよび１または複数のパラメータの第２のセットに基づいて決定される。１または複数のパラメータの第２のセットのパラメータのうちの少なくとも１つは固定値である。装置はさらに、少なくとも１つのプロセッサに結合されたメモリを含む。
【００１３】
[0013]  本開示の特定の態様は、ワイヤレス通信のための命令を格納するコンピュータ読取可能な記憶媒体を備えるコンピュータプログラムプロダクトを提供する。命令は、コンピュータに対して、アップリンクコンポーネントキャリアを介して複数のコードワードをユーザ機器(ＵＥ)から受信させ、受信されたコードワードに対するアクノレッジメントメッセージの送信に使用するために、ダウンリンクチャネルのリソースを識別する少なくとも第１および第２のインデックスペアを決定させるための命令を含む。第１のインデックスペアは、パラメータの第１のセットに基づいて決定され、第２のインデックスペアは、パラメータの第１のセットおよび１または複数のパラメータの第２のセットに基づいて決定される。１または複数のパラメータの第２のセットのパラメータのうちの少なくとも１つは固定値である。
【００１４】
[0014]  本開示の特定の態様は、ワイヤレス通信のための命令を格納するコンピュータ読取可能な記憶媒体を備えるコンピュータプログラムプロダクトを提供する。命令は、コンピュータに対して、アップリンクコンポーネントキャリアを介して複数のコードワードを基地局に送信させ、送信されたコードワードに対するアクノレッジメントメッセージの受信に使用するために、ダウンリンクチャネルのリソースを識別する少なくとも第１および第２のインデックスペアを決定させるための命令を含む。第１のインデックスペアは、パラメータの第１のセットに基づいて決定され、第２のインデックスペアは、パラメータの第１のセットおよび１または複数のパラメータの第２のセットに基づいて決定される。１または複数のパラメータの第２のセットのパラメータのうちの少なくとも１つは固定値である。
【図面の簡単な説明】
【００１５】
[0015]  本発明の上記特徴が詳細に理解されうるように、上で簡潔に要約された本発明のより詳しい記述は、態様によって参照することができ、その一部は添付の図面に示されている。しかしながら、添付の図は、本開示の特定の典型的な態様しか示さず、本記述が他の同等に効率的な態様にも適用可能であるため、本開示の範囲を限定するものとして考慮されないことに注意されたい。
【図１】図１は、本開示の特定の態様にしたがって、多元接続ワイヤレス通信システムを示す。
【図２】図２は、本開示の特定の態様にしたがって、アクセスポイントおよびユーザ機器のブロック図を示す。
【図３】図３は、電気通信システムにおけるダウンリンクフレーム構造を概念的に示すブロック図である。
【図４】図４は、本開示の特定の態様にしたがって、ユーザ機器とのｅノードＢの動作を概念的に示すブロック図である。
【図５】図５は、本開示の特定の態様にしたがって、ｅノードＢによって実行されうる動作を示す。
【図６】図６は、本開示の特定の態様にしたがって、ユーザ機器によって実行されうる動作を示す。
【発明を実施するための形態】
【００１６】
[0022]  本開示の特定の態様は、物理ハイブリッド自動再送要求（ＨＡＲＱ）インジケータチャネル（ＰＨＩＣＨ）でアクノレッジメントメッセージをユーザ機器(ＵＥ)に送信するためのリソースを決定する方法を提案する。提案される方法は、アップリンクコンポーネントキャリアを介してユーザ機器から複数のコードワードを受信することと、受信されたコードワードに対するアクノレッジメントメッセージを送信するのに使用されるべきＰＨＩＣＨチャネルのリソースを識別するインデックスペアを決定することとを含む。インデックスペアは、固定でありうるパラメータの２つのセットに基づいて決定されうる。パラメータの２つのセットは、さらに、ＵＥですでに知られているパラメータから導き出されうるか、あるいは、準静的または動的にＵＥにシグナリングされうる。
【００１７】
[0023]  本開示の様々な態様は、添付の図を参照して以下により詳細に記述される。しかしながら、本開示は、多くの異なる形態で組み込まれ、本開示全体を通して示される任意の特定の構造または機能に限定されると解釈されるべきではない。むしろ、これらの態様は、本開示が徹底的および完璧となるために提供され、本開示の範囲を当業者に十分に伝達するであろう。本明細書の教示に基づいて、当業者は、本開示の範囲が本開示のあらゆる他の態様から独立して実施されようと、それらと組み合わせて実施されようと、本明細書に開示されたあらゆる態様をカバーすると企図されることを認識すべきである。例えば、本明細書に示される任意の数の態様を使用して、装置が実施されるか、あるいは、方法が実践されうる。加えて、本開示の範囲は、本明細書に示された開示の様々な態様に加えて、あるいは、それらを除いて、他の構造、機能、または、構造と機能を用いて実践されるそのような装置または方法をカバーすることが企図される。本明細書に開示される内容のあらゆる態様が、請求項の１または複数のエレメントによって組み込まれうることは理解されるべきである。
【００１８】
[0024]  「例示的（exemplary）」という用語は、「実例、事例、例証として提供される」を意味するために本明細書で使用される。「例示的」として本明細書に記述されている任意の態様は、必ずしも、他の態様より有利または優先されると解釈されるべきではない [0025]  特定の態様が本明細書に記述されているが、これらの態様の多くの変形および並び替えは本開示の範囲内である。好まれる態様のいくつかの利益および利点が述べられるが、本開示の範囲が、特定の利益、用途、または、目的に限定されることは企図されない。むしろ、本開示の態様は、いくつかが図あるいは好まれる態様の以下の記述の例によって示される、異なるワイヤレステクノロジ、システム構成、ネットワーク、送信プロトコルに広く適用可能であることが企図される。詳細な記述および図は、添付の請求項およびその等化物によって定義されている本開示の範囲を限定するというよりはむしろ単に本開示の例にすぎない。
【００１９】
[0026]  本明細書に記述されるテクニックは、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、単一キャリアＦＤＭＡ（ＳＣ−ＦＤＭＡ）ネットワークなどのような様々なワイヤレス通信ネットワークに対して使用されうる。「ネットワーク（network）」および「システム（system）」という用語は交換して使用されることが多い。ＣＤＭＡネットワークは、ＵＴＲＡ（Universal Terrestrial Radio Access）、ｃｄｍａ２０００などの無線テクノロジを実施しうる。ＵＴＲＡは、広帯域ＣＤＭＡ（Ｗ−ＣＤＭＡ）および低チップレート（ＬＣＲ）を含む。ＣＤＭＡ２０００は、ＩＳ−２０００、ＩＳ−９５、およびＩＳ−８５６標準をカバーする。ＴＤＭＡネットワークは、ＧＳＭ（登録商標）（Global System for Mobile Communications）などの無線テクノロジを実施しうる。ＯＦＤＭＡネットワークは、次世代ＵＴＲＡ（Ｅ−ＵＴＲＡ）、ＩＥＥＥ ８０２.１１、ＩＥＥＥ ８０２.１６、ＩＥＥＥ ８０２.２０、フラッシュＯＦＤＭなどの無線テクノロジを実施しうる。ＵＴＲＡ、Ｅ−ＵＴＲＡ、ＧＳＭは、ＵＭＴＳ（Universal Mobile Telecommunication System）の一部である。ロングタームエボリューション（ＬＴＥ）は、Ｅ−ＵＴＲＡを使用するＵＭＴＳの最新のリリースである。ＵＴＡＲ、Ｅ−ＵＴＲＡ、ＧＳＭ、ＵＭＴＳ、ＬＴＥは、「第３世代パートナーシッププロジェクト（３ＧＰＰ）」という名称の団体からの文書に記述されている。ＣＤＭＡ２０００は、「第３世代パートナーシッププロジェクト２（３ＧＰＰ２）」という名称の団体からの文書に記述されている。
【００２０】
[0027]  単一キャリア周波数分割多元接続（ＳＣ−ＦＤＭＡ）は、送信機側で単一のキャリア変調を利用し、受信機側で周波数ドメイン等化を利用する。ＳＣ−ＦＤＭＡ信号は、それ固有の単一のキャリア構造により、より低いピーク対平均電力比（ＰＡＰＲ）を有する。ＳＣ−ＦＤＭＡは、特に、送信電力効率という点でより低いＰＡＰＲがＵＥに膨大な利益をもたらすアップリンクにおいて、多くの注意を引き付ける。それは、現在、３ＧＰＰ ＬＴＥにおいて、アップリンク多元接続スキームに対して使用される。
【００２１】
[0028]  アクセスポイント（「ＡＰ」）は、ノードＢ、無線ネットワークコントローラ（「ＲＮＣ」）、ｅノードＢ、基地局コントローラ（「ＢＳＣ」）、トランシーバ基地局（「ＢＴＳ」）、基地局（「ＢＳ」）、トランシーバ機能（「ＴＦ」）、無線ルータ、無線トランシーバ、基本サービスセット（「ＢＳＳ」）、拡張サービスセット（「ＥＳＳ」）、無線基地局（「ＲＢＳ」）、あるいは、ある別の用語を含みうる。
【００２２】
[0029]  アクセス端末（「ＡＴ」）は、加入者局、加入者ユニット、モバイル局、リモート局、リモート端末、ユーザ端末、ユーザエージェント、ユーザデバイス、ユーザ機器、ユーザ局、あるいは、ある別の用語を含みうる。いくつかの実施において、アクセス端末は、セルラ電話、コードレス電話、セッション開始プロトコル（「ＳＩＰ」）電話、ワイヤレスローカルループ（「ＷＬＬ」）局、携帯情報端末（「ＰＤＡ」）、ワイヤレス接続機能を有するハンドヘルドデバイス、あるいは、ワイヤレスモデムに接続されたある別の適切な処理デバイスを含みうる。したがって、本明細書で教示される１または複数の態様は、電話（例えば、セルラ電話またはスマートフォン）、コンピュータ（例えば、ラップトップ）、ポータブル通信デバイス、ポータブル計算デバイス（例えば、タブレット）、エンターテイメントデバイス（例えば、ミュージックまたはビデオデバイス、あるいは、衛星ラジオ）、全地球測位システムデバイス、あるいは、ワイヤレスまたはワイヤード媒体を介して通信するように構成されたある別の適切なデバイスに組み込まれうる。いくつかの態様において、ノードはワイヤレスノードである。そのようなワイヤレスノードは、ワイヤードまたはワイヤレス通信リンクを介して、例えば、ネットワーク（例えば、インターネットまたはセルラネットワークのような広域ネットワーク）に対して接続性を提供しうる。
【００２３】
[0030]  図１を参照すると、１つの態様にしたがって多元接続ワイヤレス通信システムが示される。アクセスポイント１００は、１つのグループがアンテナ１０４および１０６を含み、別のグループがアンテナ１０８および１１０を含み、さらなるグループがアンテナ１１２および１１４を含む、複数のアンテナグループを含みうる。図１において、各アンテナグループに対して２つのアンテナだけが示されるが、各アンテナグループに対して、より多くの数のアンテナまたはより少ない数のアンテナが利用されうる。アクセス端末１１６は、アンテナ１１２および１１４と通信状態にあり、ここで、アンテナ１１２および１１４は、順方向リンク１２０を通してアクセス端末１１６に情報を送信し、逆方向リンク１１８を通してアクセス端末１１６から情報を受信する。アクセス端末１２２は、アンテナ１０６および１０８と通信状態にあり、ここで、アンテナ１０６および１０８は、順方向リンク１２６を通してアクセス端末１２２に情報を送信し、逆方向リンク１２４を通してアクセス端末１２２から情報を受信する。ＦＤＤシステムにおいて、通信リンク１１８、１２０、１２４、１２６は、通信のために異なる周波数を使用しうる。例えば、順方向リンク１２０は、逆方向リンク１１８によって使用された周波数とは異なる周波数を使用しうる。
【００２４】
[0031]  各アンテナグループ、および／または、それらが通信するように設計されたエリアは、アクセスポイントのセクタと呼ばれることが多い。本開示の１つの態様において、各アンテナグループは、アクセスポイント１００によってカバーされるエリアのセクタ内のアクセス端末と通信するように設計されうる。
【００２５】
[0032]  順方向リンク１２０および１２６を通る通信において、アクセスポイント１００の送信アンテナは、異なるアクセス端末１１６および１２２のために順方向リンクの信号対ノイズ比を改善するためにビームフォーミングを利用しうる。さらに、そのカバレッジ全体にランダムに散在するアクセス端末に送信するためにビームフォーミングを使用するアクセスポイントは、単一のアンテナを通してその全てのアクセス端末に送信するアクセスポイントよりも、隣接セル内のアクセス端末に対して干渉を引き起こさない。
【００２６】
[0033]  図２は、ＭＩＭＯシステム２００における送信機システム２１０（例えば、アクセスポイント）および受信機システム２５０（例えば、アクセス端末）の態様のブロック図を示す。送信機システム２１０において、多数のデータストリームについてのトラフィックデータは、データソース２１２から送信（ＴＸ）データプロセッサ２１４に提供される。
【００２７】
[0034]  本開示の１つの態様において、各データストリームは、それぞれの送信アンテナを通して送信されうる。ＴＸデータプロセッサ２１４は、コード化データを提供するために、各データストリームについてのトラフィックデータを、そのデータストリームに対して選択された特定のコード化スキームに基づいて、フォーマット、コード化、インターリーブする。
【００２８】
[0035]  各データストリームについてのコード化データは、ＯＦＤＭテクニックを用いてパイロットデータと多重化されうる。パイロットデータは、典型的に、既知の方式で処理される既知のデータパターンであり、チャネル応答を推定するために受信機システムで使用されうる。次に、各データストリームについての多重化されたパイロットおよびコード化データは、変調シンボルを提供するために、そのデータストリームに対して選択された特定の変調スキーム（例えば、二位相偏移変調（ＢＰＳＫ）、直交相偏移変調（ＱＰＳＫ）、Ｍ−ＰＳＫ、または、Ｍ−ＱＡＭ）に基づいて変調（すなわち、シンボルマップ）される。各データストリームについてのデータレート、コード化、変調は、メモリ２３２に記憶され、プロセッサ２３０によって実行される命令によって決定されうる。プロセッサ２３０、プロセッサ２１４、および／または、送信機システム２１０の他のプロセッサとモジュールは、図５の動作、および／または、本明細書に記述されたテクニックのための他の動作を実行または指揮しうる。
【００２９】
[0036]  次に、全てのデータストリームについての変調シンボルがＴＸ ＭＩＭＯプロセッサ２２２０に提供され、それは、変調シンボルをさらに処理しうる（例えば、ＯＦＤＭのために）。次に、ＴＸ ＭＩＭＯプロセッサ２２０は、ＮＴ個の変調シンボルストリームをＮＴ個の送信機（ＴＭＴＲ）２２２ａ〜２２２ｔに提供する。本開示の特定に態様において、ＴＸ ＭＩＭＯプロセッサ２２０は、データストリームのシンボル、および、シンボルが送信されているアンテナにビームフォーミング重みを適用する。
【００３０】
[0037]  各送信機２２２は、１または複数のアナログ信号を提供するためにそれぞれのシンボルストリームを受信および処理し、さらに、ＭＩＭＯチャネルを通る送信に適した変調信号を提供するために、アナログ信号を調整（例えば、増幅、フィルタリング、および、アップコンバート）する。次に、送信機２２２ａ〜２２２ｔからのＮＴ個の変調信号は、それぞれ、ＮＴ個のアンテナ２２４ａ〜２２４ｔに送信される。
【００３１】
[0038]  受信機システム２５０において、送信された変調信号は、ＮＲ個のアンテナ２５２ａ〜２５２ｒによって受信され、各アンテナ２５２からの受信信号は、それぞれの受信機（ＲＣＶＲ）２５４ａ〜２５４ｒに提供されうる。各受信機２５４は、それぞれの受信信号を調整（例えば、フィルタリング、増幅、および、ダウンコンバート）し、サンプルを提供するためにこの調整信号をデジタル化し、対応する「受信された」シンボルストリームを提供するために、このサンプルをさらに処理しうる。
【００３２】
[0039]  次に、ＲＸデータプロセッサ２６０は、ＮＴ個の「検出された」シンボルストリームを提供するために、特定の受信機処理テクニックに基づいてＮＲ個の受信機２５４からＮＲ個の受信シンボルストリームを受信および処理する。次に、ＲＸデータプロセッサ２６０は、データストリームについてのトラフィックデータを復元するために、検出されたシンボルストリームの各々を復調、デインターリーブ、および、復号する。ＲＸデータプロセッサ２６０による処理は、送信機システム２１０のＴＸ ＭＩＭＯプロセッサ２２０およびＴＸデータプロセッサ２１４によって実行される処理に相補的である。
【００３３】
[0040]  プロセッサ２７０は、周期的に、どのプリコーディング行列を使用するかを決定する。プロセッサ２７０は、メモリ２７２に記憶された命令を使用して、行列インデックス部とランク値部とを備える逆方向リンクメッセージを公式化する。逆方向リンクメッセージは、通信リンクおよび／または受信データストリームについての様々なタイプの情報を含みうる。次に、逆方向リンクメッセージは、データソース２３６から多数のデータストリームについてのトラフィックデータも受信するＴＸデータプロセッサ２３８によって処理され、変調器２８０によって変調され、送信機２５４ａ〜２５４ｒによって調整され、送信機システム２１０に送り返される。プロセッサ２７０、プロセッサ２６０、および／または、受信機システム２５０の他のプロセッサとモジュールは、図６の動作、および／または、本明細書に記述されたテクニックのための他の動作を実行または指揮しうる。
【００３４】
[0041]  送信機システム２１０において、受信機システム２５０からの変調信号は、受信機システム２５０によって送信された逆方向リンクメッセージを抽出するために、アンテナ２２４によって受信され、受信機２２２によって調整され、復調器２４０によって復調され、ＲＸデータプロセッサ２４２によって処理される。次に、プロセッサ２３０は、ビームフォーミング重みを決定するためにどのプリコーディング行列を使用するか決定し、次に、抽出されたメッセージを処理する。
【００３５】
[0042]  ＬＴＥは、ダウンリンク上でＯＦＤＭを、アップリンク上でＳＣ−ＦＤＭを利用する。ＯＦＤＭおよびＳＣ−ＦＤＭは、システム帯域幅を、一般的に、トーン、ビンなどとも呼ばれうる複数（Ｋ個）の直交サブキャリアに分割する。各サブキャリアは、データと変調されうる。一般的に、変調シンボルは、ＯＦＤＭを用いて周波数ドメインで送られ、ＳＣ−ＦＤＭを用いて時間ドメインで送られる。隣接サブキャリア間の間隔は固定であり、サブキャリアの総数（Ｋ個）は、システム帯域幅に依存しうる。例えば、サブキャリアの間隔は１５ｋＨｚであり、最小リソース割付（「リソースブロック」と呼ばれる）は、１２個のサブキャリア（すなわち、１８０ｋＨｚ）である。結果として、公称の高速フーリエ変換（ＦＦＴ）のサイズは、１.２５、２．５、５、１０、または、２０ＭＨｚのシステム帯域幅に対してそれぞれ１２８、２５６、５１２、１０２４、または、２０４８に等しくなりうる。システム帯域幅は、サブ帯域にも分割されうる。例えば、サブ帯域は、１.０８ＭＨｚ（例えば、６個のリソースブロック）をカバーし、１.２５、２.５、５、１０、または２０ＭＨｚのシステム帯域幅に対してそれぞれ１、２、４、８、１６個のサブ帯域が存在しうる。
【００３６】
[0043]  図３は、ＬＴＥにおいて使用される例示的なダウンリンクフレーム構造を示す。ダウンリンクの送信タイムラインは、無線フレームの単位に分割されうる。各無線フレームは、既定の期間（例えば、１０ミリ秒（ｍｓ））を有し、０〜９のインデックスを有する１０個のサブフレームに分割されうる。各サブフレームは、２個のスロットを含みうる。かくして、各無線フレームは、０〜１９のインデックスを有する２０個のスロットを含みうる。各スロットは、例えば、通常サイクリックプリフィックス（例えば、図３に示されるような）の場合に７個のシンボル期間、または、拡張サイクリックプリフィックスの場合に１４個のシンボル期間など、Ｌ個のシンボル期間を含みうる。各サブフレーム内の２Ｌ個のシンボル期間は、インデックス０〜２Ｌ−１が割り当てられうる。利用可能な時間周波数リソースは、リソースブロックに分割されうる。各リソースブロックは、１個のスロットにおいてＮ個のサブキャリア（例えば、１２個のサブキャリア）をカバーしうる。
【００３７】
[0044]  ＬＴＥでは、ｅノードＢは、ｅノードＢ内の各セルに対してプライマリ同期信号（ＰＳＳ）およびセカンダリ同期信号（ＳＳＳ）を送りうる。プライマリ同期信号およびセカンダリ同期信号は、図３に示される通常サイクリックプリフィックスの場合に、それぞれ、各無線フレームのサブフレーム０および５の各々のシンボル期間６および５で送られうる。同期信号は、ＵＥによってセル検出および獲得のために使用されうる。ｅノードＢは、サブフレーム０のスロット１のシンボル期間０〜３で物理ブロードキャストチャネル（ＰＢＣＨ）を送りうる。ＰＢＣＨは、特定のシステム情報を搬送しうる。
【００３８】
[0045]  図３には第１のシンボル期間全体が描写されているが、ｅノードＢは、各サブフレームの第１のシンボル期間の一部でのみ物理制御フォーマットインジケータチャネル（ＰＣＦＩＣＨ）を送りうる。ＰＣＦＩＣＨは、制御チャネルに使用されるシンボル期間（Ｍ）の数を伝達しうる。ここで、Ｍは、１、２、または３に等しくあり、サブフレームごとに変化しうる。Ｍは、さらに、例えば、１０個未満のリソースブロックを有する小さいシステム帯域幅の場合に４に等しくなりうる。図３に示される例において、Ｍ＝３である。ｅノードＢは、各サブフレームの最初のＭ個（図３において、Ｍ＝３である）のシンボル期間において物理ＨＡＲＱインジケータチャネル（ＰＨＩＣＨ）および物理ダウンリンク制御チャネル（ＰＤＣＣＨ）を送りうる。ＰＨＩＣＨは、ハイブリッド自動再送（ＨＡＲＱ）をサポートするために情報を搬送しうる。ＰＤＣＣＨは、ＵＥに対するアップリンクおよびダウンリンクリソース割付についての情報、並びに、アップリンクチャネルについての電力制御情報を搬送しうる。図３の第１のシンボル期間では示されていないが、ＰＤＣＣＨおよびＰＨＩＣＨも第１のシンボル期間に含まれうることは理解される。同様に、図３にはそのように示されていないが、ＰＨＩＣＨおよびＰＤＣＣＨは、さらに、両方とも、第２のシンボル期間および第３のシンボル期間に存在しうる。ｅノードＢは、各サブフレームの残りのシンボル期間で物理ダウンリンク共有チャネル（ＰＤＳＣＨ）を送りうる。ＰＤＳＣＨは、ダウンリンク上でのデータ送信のためにスケジューリングされたＵＥについてのデータを搬送しうる。
【００３９】
[0046]  ｅノードＢは、ｅノードＢによって使用されるシステム帯域幅１．０８ＭＨｚの中心でＰＳＳ、ＳＳＳ、および、ＰＢＣＨを送りうる。ｅノードＢは、これらのチャネルが送られる各シンボル期間のシステム帯域幅全体にわたってＰＣＦＩＣＨおよびＰＨＩＣＨを送りうる。ｅノードＢは、システム帯域幅の特定の部分でＵＥのグループにＰＤＣＣＨを送りうる。ｅノードＢは、システム帯域幅の特定の部分で特定のＵＥにＰＤＳＣＨを送りうる。ｅノードＢは、ブロードキャスト方式で全てのＵＥにＰＳＳ、ＳＳＳ、ＰＢＣＨ、ＰＣＦＩＣＨ、およびＰＨＩＣＨを送り、ユニキャスト方式で特定のＵＥにＰＤＣＣＨを送り、さらに、ユニキャスト方式で特定のＵＥにＰＤＳＣＨを送りうる。
【００４０】
[0047]  多数のリソースエレメントが、各シンボル期間で利用可能でありうる。各リソースエレメントは、１個のシンボル期間において１個のサブキャリアをカバーし、実数または虚数でありうる１個の変調シンボルを送るために使用されうる。各シンボル期間内の基準信号に使用されないリソースエレメントは、リソースエレメントグループ（ＲＥＧ）へと配列されうる。各ＲＥＧは、１個のシンボル期間に４個のリソースエレメントを含みうる。ＰＣＦＩＣＨは、シンボル期間０において、周波数にわたってほぼ均等に離間された４個のＲＥＧを占有しうる。ＰＨＩＣＨは、１または複数の構成可能なシンボル期間において、周波数にわたって拡散された３個のＲＥＧを占有しうる。例えば、ＰＨＩＣＨのための３個のＲＥＧは、すべて、シンボル期間０に属するか、あるいは、シンボル期間０、１、２に拡散されうる。ＰＤＣＣＨは、最初のＭ個のシンボル期間において、利用可能なＲＥＧから選択されうる９、１８、３２、または６４個のＲＥＧを占有しうる。ＲＥＧの特定の組み合わせだけがＰＤＣＣＨに対して許可されうる。
【００４１】
[0048]  ＵＥは、ＰＨＩＣＨおよびＰＣＦＩＣＨに対して使用される特定のＲＥＧを知りうる。ＵＥは、ＰＤＣＣＨのためのＲＥＧの異なる組み合わせを探索しうる。探索すべき組み合わせの数は、典型的に、ＰＤＣＣＨのための可能な組み合わせの数よりも少ない。ｅノードＢは、ＵＥが探索するであろうあらゆる組み合わせでＵＥにＰＤＣＣＨを送りうる。
【００４２】
[0049]  ＵＥは、複数のｅノードＢのカバレッジ内に存在しうる。これらのｅノードＢのうちの１つは、ＵＥにサービス提供するために選択されうる。サービスを提供するｅノードＢは、受信電力、パス損失、信号対ノイズ比（ＳＮＲ）等の様々な基準に基づいて選択されうる。
【００４３】
[0050]  本開示の特定の態様は、データ送信にアクノレッジするために使用されるべきリソースを決定するためのテクニックを提供する。本明細書に記述されるように、テクニックは、受信メッセージに対応するアクノレッジメントメッセージの通信に使用するために、ダウンリンクチャネルのリソースを識別するように構成されたｅノードＢおよびＵＥを含みうる。例として、本明細書に記述される特定のテックニックはハイブリッド自動再送要求（ＨＡＲＱ）−アクノレッジメント（ＡＣＫ）メッセージを送ってアップリンクデータ送信の正確な受信にアクノレッジするために使用されるべきＰＨＩＣＨのダウンリンクリソースを決定するために適用されうる。
【００４４】
[0051]  上述されたように、ＰＨＩＣＨは、ｅノードＢがＰＵＳＣＨ上の送信を正確に受信したか否かを示すＨＡＲＱ ＡＣＫ／ＮＡＣＫ情報を搬送するダウンリンク物理チャネルである。複数のＰＨＩＣＨ（異なるＵＥに対する）は、ダウンリンクリソースエレメントの同じセットにマッピングされうる。これらは、ＰＨＩＣＨグループを構成し、ここで、同一のＰＨＩＣＨグループ内の異なるＰＨＩＣＨは、異なる複合直交シーケンス（complex orthogonal sequence）を通して分離されうる。
【００４５】
[0052]  特定の態様にしたがって、ｅノードＢおよびＵＥは、アクノレッジメントの送信用のリソースを決定するために使用されうるパラメータの１または複数のセットを通信しうる。換言すると、これらのパラメータを使用して、ｅノードＢは、アクノレッジメントメッセージ（アップリンク送信の受信にアクノレッジする）をＵＥに送るためにどのリソースを使用するか知ることができ、ＵＥは、これらのアクノレッジメントメッセージのためにどのリソースモニタすべきかを知るであろう。
【００４６】
[0053]  特定の態様にしたがって、これらのパラメータは、固定でありうるか、あるいは、効率的にシグナリングされうる（例えば、比較的小さい量の無線経由（over the air）リソースを使用して）。例えば、特定の態様にしたがって、ｅノードＢおよびＵＥは、２つのインデックスペアを使用し、２つのＰＨＩＣＨを通してアクノレッジメントメッセージを同時送信するために使用されるべきリソースを識別しうる。特定の態様にしたがって、各インデックスペアは、チャネルグループのナンバ（a number of a channel group）およびそのチャネルグループ内のシーケンスインデックスを含みうる。インデックスペアの１つのチャネルグループナンバおよびシーケンスインデックスは、パラメータの第１のセットに基づいて決定されうる。
【００４７】
[0054]  例として、第１のインデックスペアのチャネルグループナンバおよびシーケンスインデックスは、レガシデバイスをサポートできるように、ＬＴＥ Ｒｅｌ−８仕様にしたがって決定されうる。第２のインデックスペアのチャネルグループナンバおよびシーケンスインデックスは、パラメータの第１のセットおよび１または複数のパラメータの第２のセットに基づいて決定されうる。このように、第２のインデックスペアを決定するために使用されうる１または複数のパラメータの第２のセットだけが、従来のシステムと比べて、追加のオーバヘッドを表しうる。割付チャネルにおける衝突の可能性が非常に小さいかあるいはゼロとなるように、ＰＨＩＣＨリソースが割り付けられうることに注意されたい。
【００４８】
[0055]  図４は、本明細書に記述された動作を実行することができるｅノードＢ ４１０およびＵＥ ４２０を有する例示的なワイヤレスシステム４００を示す。特定の態様にしたがって、ｅノードＢ ４１０は、受信機モジュール４１６を介して、ＵＥ ４２０から複数のコードワードを受信しうる。ｅノードＢは、処理モジュール（示されない）を用いてコードワードを処理（例えば、検出、復号）し、ＵＥに送信するためにハイブリッド自動再送要求（ＨＡＲＱ）アクノレッジメント（ＡＣＫ）ネガティブアクノレッジメント（ＮＡＣＫ）メッセージを生成しうる。
【００４９】
[0056]  ｅノードＢ ４１０は、スケジューリングモジュール４１４も含みうる。スケジューリングモジュール４１４は、一般的に、ＵＥへのＡＣＫ／ＮＡＣＫメッセージの送信に使用されるべきリソースを決定するように構成されうる。スケジューリングモジュール４１４は、さらに、ＵＥによって使用されるべき他のチャネル構成パラメータを決定しうる。示されるように、この情報は、ＵＥ ４２０に送信されるように、送信機モジュール４１２に提供されうる。ｅノードＢは、さらに、受信コードワードに対応して、ＵＥにＡＣＫ／ＮＡＣＫメッセージを送信しうる。
【００５０】
[0057]  ＵＥ ４２０は、受信機モジュール４２６を介して構成情報およびＡＣＫ／ＮＡＣＫメッセージを受信し、情報をメッセージ処理モジュール４２４に提供しうる。メッセージ処理モジュールは、例えば、ＡＣＫ／ＮＡＣＫメッセージの送信に使用されるリソースを決定するため、並びに、ＨＡＲＱメッセージの再送が必要であるか否かを決定するために、受信情報を利用しうる。ＵＥは、さらに、ｅノードＢにコードワードを送信のためのＰＵＳＣＨパラメータを抽出しうる。ＵＥ ４２０は、割り当てられたＰＵＳＣＨ上でコードワードを送りうる（送信機モジュール４２２を介して）。
【００５１】
[0058]  ＬＴＥ Ｒｅｌ−８で定義された仕様のような特定の仕様にしたがった物理ハイブリッドインジケータチャネル（ＰＨＩＣＨ）割当に関して、対応するスケジューリング済み物理アップリンク共有チャネル（ＰＵＳＣＨ）送信のためのＰＨＩＣＨリソースは、インデックスペア
【数１】
0006026568.tif 000002
【００５２】
によって識別されうる。ここで、ＰＨＩＣＨグループナンバ
【数２】
0006026568.tif 000003
【００５３】
は、次のように定義されうる：
【数３】
0006026568.tif 000004
【００５４】
[0059]  ＰＨＩＣＨグループ内の直交シーケンスインデックス
【数４】
0006026568.tif 000005
【００５５】
は、次のように定義されうる：
【数５】
0006026568.tif 000006
【００５６】
[0060]  上の式において、ｎＤＭＲＳは、対応するダウンリンク制御情報（ＤＣＩ）フォーマット（例えば、ＬＴＥ Ｒｅｌ−８におけるＤＣＩフォーマット０）で復調基準信号（ＤＭＲＳ）フィールドのためのサイクリックシフトからマッピングされた値を表し、
【数６】
0006026568.tif 000007
【００５７】
は、ＰＨＩＣＨ変調に使用される拡散率（spreading factor）のサイズを表し、
【数７】
0006026568.tif 000008
【００５８】
は、対応するＰＵＳＣＨ送信の第１のスロットにおける物理リソースブロック（ＰＲＢ）の最小インデックスを表し、
【数８】
0006026568.tif 000009
【００５９】
は、ＰＨＩＣＨグループのナンバを表し、ＩＰＨＩＣＨは、サブフレーム４および９におけるＰＵＳＣＨ送信を伴うダウンリンク構成０および時分割複信（ＴＤＤ）アップリンクの場合に１に等しく、ＩＰＨＩＣＨは、他の構成の場合にゼロに等しくなりうる。加えて、ａ ｍｏｄ ｂは、ａをｂで割った場合の余りを表し、
【数９】
0006026568.tif 000010
【００６０】
は、「床（floor）」演算子を表しうる。
【００６１】
[0061]  本開示の特定の態様は、ＰＨＩＣＨリソース割当の決定に使用されうるテクニックを提供する。いくつかのシナリオにおいて、最大４つの送信レイヤの空間多重化がサポートされうる。ユーザ機器は、アップリンクコンポーネントキャリアごとに１つのサブフレームで、最大２つのコードワードまたは転送ブロックを送信しうる。各コードワードは、ＬＴＥ Ｒｅｌ−８ダウンリンク空間多重化の原理と同一の原理にしたがって、１または２つの送信レイヤにマッピングされうる。
【００６２】
[0062]  ＰＵＳＣＨ送信が２つのコードワードを含む場合、各コードワードの受信にアクノレッジするために、２つのハイブリッド自動再送要求アクノレッジメント（ＨＡＲＱ−ＡＣＫ）が、２つのＰＨＩＣＨリソースへとフィードバックされうる。
【００６３】
[0063]  特定の態様について、レガシデバイスをサポートするために、ＨＡＲＱ−ＡＣＫのうちの１つのための第１のＰＨＩＣＨリソースは、ＬＥＴ Ｒｅｌ−８に記述されたものと同じ方法で決定され、第２のＨＡＲＱ−ＡＣＫメッセージのための第２のＰＨＩＣＨリソースは、下に記述されるように導き出されうる。このように、第１のＰＨＩＣＨのグループナンバ
【数１０】
0006026568.tif 000011
【００６４】
は、次のように定義されうる：
【数１１】
0006026568.tif 000012
【００６５】
[0064]  第１のＰＨＩＣＨに対するＰＨＩＣＨグループ内の直交シーケンスインデックス
【数１２】
0006026568.tif 000013
【００６６】
は、次のように定義されうる：
【数１３】
0006026568.tif 000014
【００６７】
[0065]  特定の態様について、第２のＨＡＲＱ−ＡＣＫメッセージの送信のための第２のＰＨＩＣＨに対するグループナンバは、次のように導き出されうる：
【数１４】
0006026568.tif 000015
【００６８】
[0066]  特定の態様について、第２のＨＡＲＱ−ＡＣＫメッセージを送信するためのＰＨＩＣＨグループ内の直交シーケンスインデックスは、次のように定義されうる：
【数１５】
0006026568.tif 000016
【００６９】
[0067]  本開示の特定の態様について、上の式におけるΔ１またはΔ２のいずれかの値、あるいは、その両方は、シグナリングの労力を減らすために固定でありうる。Δ１およびΔ２の両方が固定である場合、これらの固定値をシグナリングする必要性がないことに注意されたい。例えば、Δ１およびΔ２の値は、ｅノードＢおよびＵＥのメモリに記憶されうる。しかしながら、Δ１およびΔ２に対して固定値を利用することは、スケジューリング柔軟性を減らしうる。
【００７０】
[0068]  本開示の特定の態様について、以下の設定は、以下のように、関連直交シーケンス上で９０度の位相差を伴って、割り当てられた２つのＰＨＩＣＨリソースを同一のＰＨＩＣＨグループ内に配置しうる：
【数１６】
0006026568.tif 000017
【００７１】
[0069]  Δ１およびΔ２のシグナリングに関して、様々なオプションが利用可能でありうる。本開示の特定の態様について、Δ１およびΔ２の値は、暗示的にシグナリングされうる。例えば、Δ１およびΔ２の値は、ＤＣＩフォーマットですでにシグナリングされている情報から導き出されうる。例として、Δ１およびΔ２の値は、すでにシグナリングされている第２のレイヤのＤＭＲＳに対してサイクリックシフト値を利用することによって導き出されうる。
【００７２】
[0070]  特定の態様について、Δ１およびΔ２は、より高いレイヤによって準静的に構成され（configured semi-statically）うる。別の態様について、Δ１およびΔ２は、対応するＤＣＩフォーマットで動的にシグナリングされうる。例えば、１ビットは、Δ１およびΔ２に対する２つの可能な値から１つを選択するのに十分でありうる。いくつかのシナリオにおいて、ＤＣＩペイロードの増加を回避するために、周波数ホッピングフラッグとして同一のビットが再利用されうる。Δ１およびΔ２の２つの可能な値（例えば、１ビットを用いて示される２つの可能な値）は、固定であるか、より高いレイヤによって構成可能であるかのいずれかでありうる。このオプションが、ＰＨＩＣＨにおけるあらゆる衝突を回避しうることに注意されたい。
【００７３】
[0071]  図５は、本開示の特定の態様にしたがってｅノードＢによって実行されうる例示的な動作を示す。
【００７４】
[0072]  ５０２において、動作が開始し、ｅノードＢは、アップリンクコンポーネントキャリアを介してＵＥから複数のコードワードを受信する。５０４において、ｅノードＢは、受信されたコードワードに対するアクノレッジメントメッセージの送信に使用するために、ダウンリンクチャネルのリソースを識別する少なくとも第１および第２のインデックスペアを決定する。例として、各ペアは、ＰＨＩＣＨグループナンバおよびそのＰＨＩＣＨグループ内のシーケンスインデックスを含みうる。
【００７５】
[0073]  第１のインデックスペアは、パラメータの第１のセットに基づいて決定され、第２のインデックスペアは、パラメータの第１のセットおよび１または複数のパラメータの第２のセットに基づいて決定されうる。例として、複数のパラメータの第２のセットは、上に記述されたΔ１およびΔ２パラメータであり、パラメータの第１のセットは、
【数１７】
0006026568.tif 000018
【００７６】
等を含みうる。このように、上に記述された式は、ｅノードＢとＵＥとの間の通信に使用されるべきリソースを決定するために使用されうる。１または複数のパラメータの第２のセットのパラメータのうちの少なくとも１つは固定値でありうる。
【００７７】
[0074]  図６は、本開示の特定の態様にしたがってＵＥによって実行されうる例示的な動作を示す。
【００７８】
[0075]  ６０２において、動作が開始し、ＵＥは、アップリンクコンポーネントキャリアを介して複数のコードワードを基地局に送信する。６０４において、ＵＥは、送信されたコードワードに対するアクノレッジメントメッセージの受信に使用するために、ダウンリンクチャネルのリソースを識別する少なくとも第１および第２のインデックスペアを決定する。
【００７９】
[0076]  上に記述されたように、各ペアは、ＰＨＩＣＨグループナンバおよびこのＰＨＩＣＨグループ内のシーケンスインデックスを含みうる。第１のインデックスペアは、パラメータの第１のセットに基づいて決定され、第２のインデックスペアは、パラメータの第１のセットおよび１または複数のパラメータの第２のセットに基づいて決定されうる。例として、複数のパラメータの第２のセットは、Δ１およびΔ２パラメータであり、パラメータの第１のセットは、  
【数１８】
0006026568.tif 000019
【００８０】
等を含みうる。１または複数のパラメータの第２のセットのパラメータのうちの少なくとも１つは、固定値でありうる。
【００８１】
[0077]  上に記述された方法の様々な動作は、対応する機能を実行することができる任意の適切な手段によって実行されうる。手段は、回路、特定用途向け集積回路（ＡＳＩＣ）、あるいは、プロセッサを含むがそれらに限定されない様々なハードウェアおよび／またはソフトウェアコンポーネントおよび／またはモジュールを含みうる。本開示と関連して記述される様々な実例となる論理ブロック、モジュール、回路は、汎用のプロセッサ、デジタル信号プロセッサ（ＤＳＰ）、特定用途向け集積回路（ＡＳＩＣ）、書替え可能ゲートアレイ信号（ＦＰＧＡ）または他のプログラマブル論理デバイス（ＰＬＤ）、ディスクリートゲートまたはトランジスタ論理、ディスクリートハードウェアコンポーネント、あるいは、本明細書に記述された機能を実行するよう設計されたこれらの任意の組み合わせと一緒に実施または実行されうる。汎用プロセッサはマイクロプロセッサでありうるが、代替で、プロセッサは公に入手可能なプロセッサ、コントローラ、マイクロコントローラ、またはステートマシンでありうる。プロセッサは、例えば、ＤＳＰとマクロプロセッサ、複数のマイクロプロセッサ、ＤＳＰコアに結合した１または複数のマイクロプロセッサ、または、その他の上記構成の組み合わせといった計算デバイスの組み合わせとしても実施されうる。
【００８２】
[0078]  本明細書に開示された方法は、記述された方法を達成するための１または複数のステップまたは動きを含む。方法のステップおよび／または動きは、請求項の範囲を逸脱することなく互いに交換されうる。換言すると、ステップまたは動きの特定の順序が示されていない限り、特定のステップおよび／または動きの順序および／または使用は、請求項の範囲を逸脱することなく変更されうる。
【００８３】
[0079]  本開示に関して示される方法またはアルゴリズムのステップは、直接的にハードウェアに、プロセッサによって実行されるソフトウェアモジュールに、または、それら二つの組み合わせに組み込まれうる。記述された機能は、ハードウェア、ソフトウェア、ファームウェア、または、それらのあらゆる組み合わせで実施されうる。ソフトウェアに実施された場合、この機能は、コンピュータ可読媒体上の１または複数の命令として記憶される。記憶媒体はコンピュータによりアクセスされることができる任意の利用可能な媒体でありうる。それに制限されない例として、そのようなコンピュータ可読媒体は、ＲＡＭ、ＲＯＭ、ＥＥＰＲＯＭ、ＣＤ−ＲＯＭまたは他の光学ディスク記憶装置、磁気ディスク記憶装置または他の磁気記憶デバイス、あるいは、コンピュータがアクセスすることができる命令やデータ構造形で所望のプログラムコードを搬送または記憶するために使用されうる任意の別媒体を含むことができる。ディスク（ｄｉｓｋ）とディスク（ｄｉｓｃ）は、本明細書で使用される場合、コンパクトディスク（ＣＤ）、レーザーディスク（登録商標）、光ディスク、デジタル多用途ディスク（ＤＶＤ）、フロッピー（登録商標）ディスク、ブルーレイ（登録商標）ディスクを含む。ディスク（ｄｉｓｋ）は通常磁気作用によってデータを再生し、ディスク（ｄｉｓｃ）はレーザーで光学的にデータを再生する。
【００８４】
[0080]  ソフトウェアまたは命令は、送信媒体を通して送信されうる。例えば、同軸ケーブル、光ファイバーケーブル、撚線対、デジタル加入者回線（ＤＳＬ）、または赤外線、無線、マイクロ波などのワイヤレステクノロジを使用してウェブサイト、サーバ、または他のリモートソースからソフトウェアが送信されると、この同軸ケーブル、光ファイバーケーブル、撚線対、ＤＳＬ、または赤外線、無線、マイクロ波などのワイヤレステクノロジは、送信媒体の定義に含まれる。
【００８５】
[0081]  さらに、本明細書に記述された方法および技術を実行するためのモジュールおよび／または別の適切な手段が、ユーザ端末および／または基地局によって、適宜、ダウンロードされうること、および／または、別の方法で取得されうることは認識されるべきである。例えば、そのようなデバイスは、本明細書に記述された方法を実行するための手段の移送を容易にするためにサーバに結合されうる。あるいは、本明細書に記述された様々な方法が、端末および／または基地局が、記憶手段をデバイスに結合または提供することで、様々な方法を取得できるように、記憶手段（例えば、ＲＡＭ、ＲＯＭ、コンパクトディスク（ＣＤ）またはフロッピー（登録商標）ディスクなどの物理記憶媒体）を介して提供されうる。さらに、本明細書に記述された方法およびテクニックをデバイスに提供するためのあらゆる他の適切なテクニックが利用されうる。
【００８６】
[0082]  請求項が、上に記述された厳密な設定およびコンポーネントに限定されることは理解されるべきである。様々な変更、変化、変形が、請求項の範囲を逸脱することなく、上に記述された方法および装置の配列、動作、および詳細に行われうる。
以下に、本願出願の当初の特許請求の範囲に記載された発明を付記する。
［Ｃ１］
ワイヤレス通信のための方法であって、
アップリンクコンポーネントキャリアを介してユーザ機器（ＵＥ）から複数のコードワードを受信することと、
前記受信されたコードワードに対するアクノレッジメントメッセージの送信に使用するために、ダウンリンクチャネルのリソースを識別する少なくとも第１および第２のインデックスペアを決定することと
を備え、
前記第１のインデックスペアは、パラメータの第１のセットに基づいて決定され、前記第２のインデックスペアは、パラメータの前記第１のセットおよび１または複数のパラメータの第２のセットに基づいて決定され、１または複数のパラメータの前記第２のセットにおける前記パラメータのうちの少なくとも１つは固定値である、方法。
［Ｃ２］
各インデックスペアは、チャネルグループのナンバ、および、前記チャネルグループ内のシーケンスインデックスを含み、１または複数のパラメータの前記第２のセットは、パラメータΔ１およびΔ２を含み、
前記第１のインデックスペアのチャネルグループナンバは、以下のように定義され、
【数１９】
0006026568.tif 000020
前記第１のインデックスペアのシーケンスインデックスは、以下のように定義され、
【数２０】
0006026568.tif 000021
前記第２のインデックスペアのチャネルグループナンバは、次のように定義され、
【数２１】
0006026568.tif 000022
前記第２のインデックスペアのシーケンスインデックスは、次のように定義され、
【数２２】
0006026568.tif 000023
ここにおいて、ｎＤＭＲＳは、変調基準信号（ＤＭＲＳ）のナンバを表し、
【数２３】
0006026568.tif 000024
は、物理ハイブリッド自動再送要求インジケータチャネル（ＰＨＩＣＨ）で変調に使用される拡散率のサイズを表し、
【数２４】
0006026568.tif 000025
は、対応する物理アップリンク共有チャネル（ＰＵＳＣＨ）送信の第１のスロットにおける物理リソースブロック（ＰＲＢ）の最小インデックスを表し、
【数２５】
0006026568.tif 000026
は、ＰＨＩＣＨグループのナンバを表し、
【数２６】
0006026568.tif 000027
は、インデックスである、
Ｃ１に記載の方法。
［Ｃ３］
Δ１は１に等しく、Δ２はゼロに等しいＣ２に記載の方法。
［Ｃ４］
前記第１のインデックスペアおよび前記第２のインデックスペアは、共通のチャネルグループナンバを有し、それらのシーケンスインデックスにおいて９０度の位相差を有する、Ｃ２に記載の方法。
［Ｃ５］
Δ１は
【数２７】
0006026568.tif 000028
に等しく、Δ２はゼロに等しい、Ｃ４に記載の方法。
［Ｃ６］
１または複数のパラメータの前記第２のセットは、ダウンリンク制御情報（ＤＣＩ）フォーマットでシグナリングされた情報から導き出される、Ｃ１に記載の方法。
［Ｃ７］
１または複数のパラメータの前記第２のセットは、より高いレイヤによって準静的に構成される、Ｃ１に記載の方法。
［Ｃ８］
１または複数のパラメータの前記第２のセットは、対応するダウンリンク制御情報（ＤＣＩ）フォーマットで動的にシグナリングされる、Ｃ１に記載の方法。
［Ｃ９］
ワイヤレス通信のための方法であって、
アップリンクコンポーネントキャリアを介して基地局に複数のコードワードを送信することと、
前記送信されたコードワードに対するアクノレッジメントメッセージの受信に使用するために、ダウンリンクチャネルのリソースを識別する少なくとも第１および第２のインデックスペアを決定することと
を備え、
前記第１のインデックスペアは、パラメータの第１のセットに基づいて決定され、前記第２のインデックスペアは、パラメータの前記第１のセットおよび１または複数のパラメータの第２のセットに基づいて決定され、１または複数のパラメータの前記第２のセットのパラメータのうちの少なくとも１つは固定値である、方法。
［Ｃ１０］
各インデックスペアは、チャネルグループのナンバ、および、前記チャネルグループ内のシーケンスインデックスを含み、１または複数のパラメータの前記第２のセットは、パラメータΔ１およびΔ２を含み、
前記第１のインデックスペアのチャネルグループナンバは、以下のように定義され、
【数２８】
0006026568.tif 000029
前記第１のインデックスペアのシーケンスインデックスは、以下のように定義され、
【数２９】
0006026568.tif 000030
前記第２のインデックスペアのチャネルグループナンバは、次のように定義され、
【数３０】
0006026568.tif 000031
前記第２のインデックスペアのシーケンスインデックスは、次のように定義され、
【数３１】
0006026568.tif 000032
ここにおいて、ｎＤＭＲＳは、変調基準信号（ＤＭＲＳ）のナンバを表し、
【数３２】
0006026568.tif 000033
は、物理ハイブリッド自動再送要求インジケータチャネル（ＰＨＩＣＨ）で変調に使用される拡散率のサイズを表し、
【数３３】
0006026568.tif 000034
は、対応する物理アップリンク共有チャネル（ＰＵＳＣＨ）送信の第１のスロットにおける物理リソースブロック（ＰＲＢｓ）の最小インデックスを表し、
【数３４】
0006026568.tif 000035
は、ＰＨＩＣＨグループのナンバを表し、
【数３５】
0006026568.tif 000036
は、インデックスである、
Ｃ９に記載の方法。
［Ｃ１１］
Δ１は１に等しく、Δ２はゼロに等しい、Ｃ１０に記載の方法。
［Ｃ１２］
前記第１のインデックスペアおよび前記第２のインデックスペアは、共通のチャネルグループナンバを有し、それらのシーケンスインデックスにおいて９０度の位相差を有する、Ｃ１０に記載の方法。
［Ｃ１３］
Δ１は
【数３６】
0006026568.tif 000037
に等しく、Δ２はゼロに等しい、Ｃ１２に記載の方法。
［Ｃ１４］
１または複数のパラメータの前記第２のセットは、ダウンリンク制御情報（ＤＣＩ）フォーマットで受信された情報から導き出される、Ｃ９に記載の方法。
［Ｃ１５］
１または複数のパラメータの前記第２のセットは、より高いレイヤによって準静的に構成される、Ｃ９に記載の方法。
［Ｃ１６］
１または複数のパラメータの前記第２のセットは、対応するダウンリンク制御情報（ＤＣＩ）フォーマットで動的に受信される、Ｃ９に記載の方法。
［Ｃ１７］
ワイヤレス通信のための装置であって、
アップリンクコンポーネントキャリアを介してユーザ機器（ＵＥ）から複数のコードワードを受信するための手段と、
前記受信されたコードワードに対するアクノレッジメントメッセージの送信に使用するために、ダウンリンクチャネルのリソースを識別する少なくとも第１および第２のインデックスペアを決定するための手段と
を備え、
前記第１のインデックスペアは、パラメータの第１のセットに基づいて決定され、前記第２のインデックスペアは、パラメータの前記第１のセットおよび１または複数のパラメータの第２のセットに基づいて決定され、１または複数のパラメータの前記第２のセットのパラメータのうちの少なくとも１つは固定値である、装置。
［Ｃ１８］
各インデックスペアは、チャネルグループのナンバ、および、前記チャネルグループ内のシーケンスインデックスを含み、１または複数のパラメータの前記第２のセットは、パラメータΔ１およびΔ２を含み、
前記第１のインデックスペアのチャネルグループナンバは、以下のように定義され、
【数３７】
0006026568.tif 000038
前記第１のインデックスペアのシーケンスインデックスは、以下のように定義され、
【数３８】
0006026568.tif 000039
前記第２のインデックスペアのチャネルグループナンバは、次のように定義され、
【数３９】
0006026568.tif 000040
前記第２のインデックスペアのシーケンスインデックスは、次のように定義され、
【数４０】
0006026568.tif 000041
ここにおいて、ｎＤＭＲＳは、変調基準信号（ＤＭＲＳ）のナンバを表し、
【数４１】
0006026568.tif 000042
は、物理ハイブリッド自動再送要求インジケータチャネル（ＰＨＩＣＨ）で変調に使用される拡散率のサイズを表し、
【数４２】
0006026568.tif 000043
は、対応する物理アップリンク共有チャネル（ＰＵＳＣＨ）送信の第１のスロットにおける物理リソースブロック（ＰＲＢ）の最小インデックスを表し、
【数４３】
0006026568.tif 000044
は、ＰＨＩＣＨグループのナンバを表し、
【数４４】
0006026568.tif 000045
は、インデックスである、
Ｃ１７に記載の装置。
［Ｃ１９］
Δ１は１に等しく、Δ２はゼロに等しい、Ｃ１８に記載の装置。
［Ｃ２０］
前記第１のインデックスペアおよび前記第２のインデックスペアは、共通のチャネルグループナンバを有し、それらのシーケンスインデックスにおいて９０度の位相差を有する、Ｃ１８に記載の装置。
［Ｃ２１］
Δ１は
【数４５】
0006026568.tif 000046
に等しく、Δ２はゼロに等しい、Ｃ２０に記載の装置。
［Ｃ２２］
１または複数のパラメータの前記第２のセットは、ダウンリンク制御情報（ＤＣＩ）フォーマットでシグナリングされた情報から導き出される、Ｃ１７に記載の装置。
［Ｃ２３］
１または複数のパラメータの前記第２のセットは、より高いレイヤによって準静的に構成される、Ｃ１７に記載の装置。
［Ｃ２４］
１または複数のパラメータの前記第２のセットは、対応するダウンリンク制御情報（ＤＣＩ）フォーマットで動的にシグナリングされる、Ｃ１７に記載の装置。
［Ｃ２５］
ワイヤレス通信のための装置であって、
アップリンクコンポーネントキャリアを介して基地局に複数のコードワードを送信するための手段と、
前記送信されたコードワードに対するアクノレッジメントメッセージの受信に使用するために、ダウンリンクチャネルのリソースを識別する少なくとも第１および第２のインデックスペアを決定するための手段と
を備え、
前記第１のインデックスペアは、パラメータの第１のセットに基づいて決定され、前記第２のインデックスペアは、パラメータの前記第１のセットおよび１または複数のパラメータの第２のセットに基づいて決定され、１または複数のパラメータの前記第２のセットのパラメータのうちの少なくとも１つは固定値である、装置。
［Ｃ２６］
各インデックスペアは、チャネルグループのナンバ、および、前記チャネルグループ内のシーケンスインデックスを含み、１または複数のパラメータの前記第２のセットは、パラメータΔ１およびΔ２を含み、
前記第１のインデックスペアのチャネルグループナンバは、以下のように定義され、
【数４６】
0006026568.tif 000047
前記第１のインデックスペアのシーケンスインデックスは、以下のように定義され、
【数４７】
0006026568.tif 000048
前記第２のインデックスペアのチャネルグループナンバは、次のように定義され、
【数４８】
0006026568.tif 000049
前記第２のインデックスペアのシーケンスインデックスは、次のように定義され、
【数４９】
0006026568.tif 000050
ここにおいて、ｎＤＭＲＳは、変調基準信号（ＤＭＲＳ）のナンバを表し、
【数５０】
0006026568.tif 000051
は、物理ハイブリッド自動再送要求インジケータチャネル（ＰＨＩＣＨ）で変調に使用される拡散率のサイズを表し、
【数５１】
0006026568.tif 000052
は、対応する物理アップリンク共有チャネル（ＰＵＳＣＨ）送信の第１のスロットにおける物理リソースブロック（ＰＲＢ）の最小インデックスを表し、
【数５２】
0006026568.tif 000053
は、ＰＨＩＣＨグループナンバを表し、
【数５３】
0006026568.tif 000054
は、インデックスである、
Ｃ２５に記載の装置。
［Ｃ２７］
Δ１は１に等しく、Δ２はゼロに等しい、Ｃ２６に記載の装置。
［Ｃ２８］
前記第１のインデックスペアおよび前記第２のインデックスペアは、共通のチャネルグループナンバを有し、それらのシーケンスインデックスにおいて９０度の位相差を有する、Ｃ２６に記載の装置。
［Ｃ２９］
Δ１は
【数５４】
0006026568.tif 000055
に等しく、Δ２はゼロに等しい、Ｃ２８に記載の装置。
［Ｃ３０］
１または複数のパラメータの前記第２のセットは、ダウンリンク制御情報（ＤＣＩ）フォーマットで受信された情報から導き出される、Ｃ２５に記載の装置。
［Ｃ３１］
１または複数のパラメータの前記第２のセットは、より高いレイヤによって準静的に構成される、Ｃ２５に記載の装置。
［Ｃ３２］
１または複数のパラメータの前記第２のセットは、対応するダウンリンク制御情報（ＤＣＩ）フォーマットで動的に受信される、Ｃ２５に記載の装置。
［Ｃ３３］
ワイヤレス通信のための装置であって、
アップリンクコンポーネントキャリアを介してユーザ機器（ＵＥ）から複数のコードワードを受信し、前記受信されたコードワードに対するアクノレッジメントメッセージの送信に使用するために、ダウンリンクチャネルのリソースを識別する少なくとも第１および第２のインデックスペアを決定するように構成された少なくとも１つのプロセッサと、
前記少なくとも１つのプロセッサに結合されたメモリと
を備え、
前記第１のインデックスペアは、パラメータの第１のセットに基づいて決定され、前記第２のインデックスペアは、パラメータの前記第１のセットおよび１または複数のパラメータの第２のセットに基づいて決定され、１または複数のパラメータの前記第２のセットのパラメータのうちの少なくとも１つは固定値である、装置。
［Ｃ３４］
各インデックスペアは、チャネルグループのナンバ、および、前記チャネルグループ内のシーケンスインデックスを含み、１または複数のパラメータの前記第２のセットは、パラメータΔ１およびΔ２を含み、
前記第１のインデックスペアのチャネルグループナンバは、以下のように定義され、
【数５５】
0006026568.tif 000056
前記第１のインデックスペアのシーケンスインデックスは、以下のように定義され、
【数５６】
0006026568.tif 000057
前記第２のインデックスペアのチャネルグループナンバは、次のように定義され、
【数５７】
0006026568.tif 000058
前記第２のインデックスペアのシーケンスインデックスは、次のように定義され、
【数５８】
0006026568.tif 000059
ここにおいて、ｎＤＭＲＳは、変調基準信号（ＤＭＲＳ）のナンバを表し、
【数５９】
0006026568.tif 000060
は、物理ハイブリッド自動再送要求インジケータチャネル（ＰＨＩＣＨ）で変調に使用される拡散率のサイズを表し、
【数６０】
0006026568.tif 000061
は、対応する物理アップリンク共有チャネル（ＰＵＳＣＨ）送信の第１のスロットにおける物理リソースブロック（ＰＲＢ）の最小インデックスを表し、
【数６１】
0006026568.tif 000062
は、ＰＨＩＣＨグループのナンバを表し、
【数６２】
0006026568.tif 000063
は、インデックスである、
Ｃ３３に記載の装置。
［Ｃ３５］
Δ１は１に等しく、Δ２はゼロに等しい、Ｃ３４に記載の装置。
［Ｃ３６］
ワイヤレス通信のための装置であって、
アップリンクコンポーネントキャリアを介して基地局に複数のコードワードを送信し、前記送信されたコードワードに対するアクノレッジメントメッセージの受信に使用するために、ダウンリンクチャネルのリソースを識別する少なくとも第１および第２のインデックスペアを決定するように構成された少なくとも１つのプロセッサと、
前記少なくとも１つのプロセッサに結合されたメモリと
を備え、
前記第１のインデックスペアは、パラメータの第１のセットに基づいて決定され、前記第２のインデックスペアは、パラメータの前記第１のセットおよび１または複数のパラメータの第２のセットに基づいて決定され、１または複数のパラメータの前記第２のセットのパラメータのうちの少なくとも１つは固定値である、装置。
［Ｃ３７］
各インデックスペアは、チャネルグループのナンバ、および、前記チャネルグループ内のシーケンスインデックスを含み、１または複数のパラメータの前記第２のセットは、パラメータΔ１およびΔ２を含み、
前記第１のインデックスペアのチャネルグループナンバは、以下のように定義され、
【数６３】
0006026568.tif 000064
前記第１のインデックスペアのシーケンスインデックスは、以下のように定義され、
【数６４】
0006026568.tif 000065
前記第２のインデックスペアのチャネルグループナンバは、次のように定義され、
【数６５】
0006026568.tif 000066
前記第２のインデックスペアのシーケンスインデックスは、次のように定義され、
【数６６】
0006026568.tif 000067
ここにおいて、ｎＤＭＲＳは、変調基準信号（ＤＭＲＳ）のナンバを表し、  
【数６７】
0006026568.tif 000068
は、物理ハイブリッド自動再送要求インジケータチャネル（ＰＨＩＣＨ）で変調に使用される拡散率のサイズを表し、
【数６８】
0006026568.tif 000069
は、対応する物理アップリンク共有チャネル（ＰＵＳＣＨ）送信の第１のスロットにおける物理リソースブロック（ＰＲＢ）の最小インデックスを表し、
【数６９】
0006026568.tif 000070
は、ＰＨＩＣＨグループのナンバを表し、
【数７０】
0006026568.tif 000071
は、インデックスである、
Ｃ３６に記載の装置。
［Ｃ３８］
Δ１は１に等しく、Δ２はゼロに等しい、Ｃ３７に記載の装置。
［Ｃ３９］
コンピュータ読取可能な記憶媒体を備えるコンピュータプログラムプロダクトであって、前記コンピュータ読取可能な記憶媒体は、
コンピュータに、アップリンクコンポーネントキャリアを介してユーザ機器（ＵＥ）から複数のコードワードを受信させるための命令と、
前記コンピュータに、前記受信されたコードワードに対するアクノレッジメントメッセージの送信に使用するために、ダウンリンクチャネルのリソースを識別する少なくとも第１および第２のインデックスペアを決定させるための命令と
を備え、
前記第１のインデックスペアは、パラメータの第１のセットに基づいて決定され、前記第２のインデックスペアは、パラメータの前記第１のセットおよび１または複数のパラメータの第２のセットに基づいて決定され、１または複数のパラメータの前記第２のセットのパラメータのうちの少なくとも１つは固定値である、コンピュータプログラムプロダクト。
［Ｃ４０］
コンピュータ読取可能な記憶媒体を備えるコンピュータプログラムプロダクトであって、前記コンピュータ読取可能な記憶媒体は、
コンピュータに対して、アップリンクコンポーネントキャリアを介して基地局に複数のコードワードを送信させるための命令と、
前記コンピュータに対して、前記送信されたコードワードに対するアクノレッジメントメッセージの受信に使用するために、ダウンリンクチャネルのリソースを識別する少なくとも第１および第２のインデックスペアを決定させるための命令と
を備え、
前記第１のインデックスペアは、パラメータの第１のセットに基づいて決定され、前記第２のインデックスペアは、パラメータの前記第１のセットおよび１または複数のパラメータの第２のセットに基づいて決定され、１または複数のパラメータの前記第２のセットのパラメータのうちの少なくとも１つは固定値である、コンピュータプログラムプロダクト。
【図１】
0006026568.tif 000144
【図２】
0006026568.tif 000145
【図３】
0006026568.tif 000146
【図４】
0006026568.tif 000147
【図５】
0006026568.tif 000148
【図６】
0006026568.tif 000149